(57)【特許請求の範囲】
【請求項１】
記録可能速度の情報をディスク製造過程でトラックに記録している記録可能型光ディスクであって、
前記記録可能速度の情報をプリグルーブのウォブル、またはプリピットで記録してあり、
前記記録可能速度の情報が、プリグルーブのウォブル、またはプリピットで記録されたリードイン開始時間情報、リードアウト開始時間情報のいずれか一方または両方に含ませて記録されている記録可能型光ディスク。
【請求項２】
記録可能速度の情報をディスク製造過程でトラックに記録している記録可能型光ディスクであって、
前記記録可能速度の情報をプリグルーブのウォブル、またはプリピットで記録してあり、
前記記録可能速度の情報が記録可能速度の下限値情報および上限値情報であり、プリグルーブのウォブル、またはプリピットで記録されたリードイン開始時間情報あるいはリードアウト開始時間情報のいずれか一方に、記録可能速度の下限値情報あるいは上限値情報のいずれか一方の情報を含ませて記録し、リードイン開始時間情報あるいはリードアウト開始時間情報のいずれか他方に、記録可能速度の下限値情報あるいは上限値情報のいずれか他方の情報を含ませて記録している記録可能型光ディスク。
【請求項３】
記録可能速度の情報をディスク製造過程でトラックに記録している記録可能型光ディスクであって、
前記記録可能速度の情報をプリグルーブのウォブル、またはプリピットで記録してあり、
前記記録可能速度の情報が記録可能速度の下限値情報および上限値情報であり、プリグルーブのウォブル、またはプリピットで記録されたリードイン開始時間情報、リードアウト開始時間情報のいずれか一方または両方に記録可能速度の下限値情報、上限値情報の両方の情報を含ませて記録している記録可能型光ディスク。
【請求項４】
ディスク製造過程でトラックに記録される時間情報に、ディスク種類およびメーカーの情報を含ませて記録している請求項１から３のいずれかに記載の記録可能型光ディスク。
【請求項５】
プリグルーブのウォブル、またはプリピットで記録されたリードイン開始時間情報、リードアウト開始時間情報のいずれか一方または両方に記録可能速度の情報を含ませて記録している記録可能型光ディスクを記録する装置であって、
記録を行おうとする光ディスクの読取信号から前記プリグルーブのウォブル、またはプリピットで記録されているリードイン開始時間情報、リードアウト開始時間情報のいずれか一方または両方を再生する時間情報再生回路と、
該再生されたリードイン開始時間情報、リードアウト開始時間情報のいずれか一方または両方に基づき記録可能速度を判定して、記録速度を該記録可能速度の範囲内の値に設定して前記光ディスクの記録を行う制御回路と
を具備している光ディスク記録装置。
【請求項６】
前記記録可能速度の情報が前記光ディスクのプリグルーブのウォブル、またはプリピットで記録されたリードイン開始時間情報またはリードアウト開始時間情報に含ませて記録された記録可能速度の上限値情報であり、
前記制御回路が前記光ディスクの記録速度を該記録可能速度の上限値の範囲内の値に設定する請求項５に記載の光ディスク記録装置。
【請求項７】
プリグルーブのウォブル、またはプリピットで記録されたリードイン開始時間情報に記録可能速度の下限値情報、上限値情報のいずれか一方の情報を含ませて記録し、かつリードアウト開始時間情報に記録可能速度の下限値情報、上限値情報のいずれか他方の情報を含ませて記録した記録可能型光ディスクを記録する装置であって、
記録を行おうとする光ディスクの読取信号から前記プリグルーブのウォブル、またはプリピットで記録されているリードイン開始時間情報およびリードアウト開始時間情報を再生する時間情報再生回路と、
該再生されたリードイン開始時間情報に基づき記録可能速度の下限値、上限値のいずれか一方を判定し、該再生されたリードアウト開始時間情報に基づき記録可能速度の下限値、上限値のいずれか他方を判定して、記録速度を該記録可能速度の下限値および上限値の範囲内の値に設定して前記光ディスクの記録を行う制御回路と
を具備している光ディスク記録装置。
【請求項８】
プリグルーブのウォブル、またはプリピットで記録されたリードイン開始時間情報、リードアウト開始時間情報のいずれか一方または両方に記録可能速度の下限値情報、上限値情報の両方の情報を含ませて記録した記録可能型光ディスクを記録する装置であって、
記録を行おうとする光ディスクの読取信号から前記プリグルーブのウォブル、またはプリピットで記録されているリードイン開始時間情報またはリードアウト開始時間情報を再生する時間情報再生回路と、
該再生されたリードイン開始時間情報またはリードアウト開始時間情報に基づき記録可能速度の下限値および上限値を判定して、記録速度を該記録可能速度の下限値および上限値の範囲内の値に設定して前記光ディスクの記録を行う制御回路と
を具備している光ディスク記録装置。
【請求項９】
前記制御回路が、記録速度を前記記録可能速度の範囲内で設定可能な最高速度に設定して前記光ディスクの記録を行う請求項５から８のいずれかに記載の光ディスク記録装置。
【請求項１０】
プリグルーブのウォブル、またはプリピットで記録されたリードイン開始時間情報、リードアウト開始時間情報のいずれか一方または両方に記録可能速度の情報を含ませて記録している記録可能型光ディスクを記録する装置であって、
該光ディスクのプリグルーブのウォブル、またはプリピットで記録されているリードイン開始時間情報、リードアウト開始時間情報のいずれか一方または両方と記録可能速度との対応関係を記憶する記録可能速度情報記憶回路と、
記録を行おうとする光ディスクの読取信号から前記プリグルーブのウォブル、またはプリピットで記録されているリードイン開始時間情報、リードアウト開始時間情報のいずれか一方または両方を再生する時間情報再生回路と、
該再生されたリードイン開始時間情報、リードアウト開始時間情報のいずれか一方または両方に基づき前記記録可能速度情報記憶回路から読み出される記録可能速度の情報を表示する表示装置と、
使用者の操作に基づき記録速度を指示入力する記録速度指示手段と、
記録速度を該記録速度指示手段で指示された速度に設定して前記光ディスクの記録を行う制御回路と
を具備している光ディスク記録装置。
【発明の詳細な説明】
【０００１】
【発明の属する技術分野】
この発明は、プリグルーブのウォブル、またはプリピットで記録可能速度の情報を記録した記録可能型光ディスクおよびその記録装置に関する。
【０００２】
【従来の技術】
記録可能型光ディスクに情報の記録を行う光ディスク記録装置においては、記録に要する時間を短縮するために、記録速度の高速化が図られている。
【０００３】
【発明が解決しようとする課題】
記録した情報を正しく再生できる記録速度の限界値はディスク種類ごと、メーカーごとに異なる。このため、例えば８倍速（規定の再生速度（標準速、１倍速）の８倍の速度）で記録が可能な光ディスクドライブを用いて、８倍速に対応していない光ディスクに８倍速で記録を行うと、エラーが多いディスクを作製してしまい、再生不能となる。
【０００４】
この発明は、上述の点に鑑みてなされたもので、ディスク種類ごと、メーカーごとに異なる限界値を超えた記録速度で記録されるのを防止して、エラーの少ない記録を行えるようにした記録可能型光ディスクおよび光ディスク記録装置を提供しようとするものである。
【０００５】
【課題を解決するための手段】
この発明の記録可能型光ディスクは、記録可能速度の情報をディスク製造過程でトラックに記録しているものである。これによれば、記録に先立ち該記録可能速度の情報を読み出すことにより、記録速度を該記録可能速度の範囲内の値に設定して記録を行うことができ、エラーの少ない記録を行うことができる。
【０００６】
記録可能速度の情報は、プリグルーブのウォブル、またはプリピットで記録されたリードイン開始時間情報、リードアウト開始時間情報のいずれか一方または両方に含ませて（例えば、リードイン開始時間情報、リードアウト開始時間情報を実際のリードイン領域のリードイン開始時間、リードアウト領域のリードアウト開始時間と同じにして、または異ならせて）記録されている。また、記録可能速度の情報は、例えば記録可能速度の上限値情報とすることができる。また、記録可能速度の情報は、例えば記録可能速度の下限値情報および上限値情報とし、プリグルーブのウォブル、またはプリピットで記録されたリードイン開始時間情報に記録可能速度の下限値情報、上限値情報のいずれか一方の情報を含ませて記録し、リードアウト開始時間情報に記録可能速度の下限値情報、上限値情報のいずれか他方の情報を含ませて記録することもできる。また、記録可能速度の下限値情報および上限値情報の両方を、リードイン開始時間情報、リードアウト開始時間情報のいずれか一方または両方に含ませて記録することもできる。なお、記録可能速度を記録するディスク上の領域は、リードイン領域のほか、プログラム領域、リードアウト領域等を用いることも可能である。
【０００９】
また、この発明の光ディスク装置は、プリグルーブのウォブル、またはプリピットで記録されたリードイン開始時間情報、リードアウト開始時間情報のいずれか一方または両方に記録可能速度の情報を含ませて記録している記録可能型光ディスクを記録する装置であって、記録を行おうとする光ディスクの読取信号から前記プリグルーブのウォブル、またはプリピットで記録されているリードイン開始時間情報、リードアウト開始時間情報のいずれか一方または両方を再生する時間情報再生回路と、該再生されたリードイン開始時間情報、リードアウト開始時間情報のいずれか一方または両方に基づき記録可能速度を判定して、記録速度を該記録可能速度の範囲内の値に設定して前記光ディスクの記録を行う制御回路とを具備しているものである。これによれば記録可能速度の情報がプリグルーブのウォブル、またはプリピットで記録されるリードイン開始時間情報、リードアウト開始時間情報のいずれか一方または両方に含ませて記録されている記録可能型光ディスクに対して、記録速度を該記録可能速度の情報で指示される速度の範囲内の値に設定して記録を行うことができ、エラーの少ない記録を行うことができる。
【００１０】
なお、記録可能速度の情報がプリグルーブのウォブル、またはプリピットのリードイン開始時間情報またはリードアウト開始時間情報に含ませて記録された記録可能速度の上限値情報である場合は、制御回路は前記光ディスクの記録速度を該記録可能速度の上限値の範囲内の値に設定するものとすることができる。
【００１１】
また、この発明の光ディスク記録装置は、プリグルーブのウォブル、またはプリピットで記録されたリードイン開始時間情報に記録可能速度の下限値情報、上限値情報のいずれか一方を含ませて記録し、かつリードアウト開始時間情報に記録可能速度の下限値情報、上限値情報のいずれか他方を含ませて記録した記録可能型光ディスクを記録する装置であって、記録を行おうとする光ディスクの読取信号から前記プリグルーブのウォブル、またはプリピットで記録されているリードイン開始時間情報およびリードアウト開始時間情報を再生する時間情報再生回路と、該再生されたリードイン開始時間情報に基づき記録可能速度の下限値、上限値のいずれか一方を判定し、該再生されたリードアウト開始時間情報に基づき記録可能速度の下限値、上限値のいずれか他方を判定して、記録速度を該記録可能速度の下限値および上限値の範囲内の値に設定して前記光ディスクの記録を行う制御回路とを具備しているものである。これによれば、記録速度を下限値情報および上限値情報で指示される記録可能速度の範囲内の値に設定して記録を行うことができ、エラーの少ない記録を行うことができる。
【００１２】
また、この発明の光ディスク記録装置は、プリグルーブのウォブル、またはプリピットで記録されたリードイン開始時間情報、リードアウト開始時間情報のいずれか一方または両方に記録可能速度の下限値情報、上限値情報の両方の情報を含ませて記録した記録可能型光ディスクを記録する装置であって、記録を行おうとする光ディスクの読取信号から前記プリグルーブのウォブル、またはプリピットで記録されているリードイン開始時間情報またはリードアウト開始時間情報を再生する時間情報再生回路と、該再生されたリードイン開始時間情報またはリードアウト開始時間情報に基づき記録可能速度の下限値および上限値を判定して、記録速度を該記録可能速度の下限値および上限値の範囲内の値に設定して前記光ディスクの記録を行う制御回路とを具備しているものである。これによれば、記録速度を下限値情報および上限値情報で指示される記録可能速度の範囲内の値に設定して記録を行うことができ、エラーの少ない記録を行うことができる。
【００１３】
なお、制御回路は、記録速度を例えば記録可能速度の範囲内で設定可能な最高速度に設定して前記光ディスクの記録を行うものとすることができる。
【００１６】
また、この発明の光ディスク記録装置は、プリグルーブのウォブル、またはプリピットで記録されたリードイン開始時間情報、リードアウト開始時間情報のいずれか一方または両方に記録可能速度の情報を含ませて記録している記録可能型光ディスクを記録する装置であって、該光ディスクのプリグルーブのウォブル、またはプリピットで記録されているリードイン開始時間情報、リードアウト開始時間情報のいずれか一方または両方と記録可能速度との対応関係を記憶する記録可能速度情報記憶回路と、記録を行おうとする光ディスクの読取信号から前記プリグルーブのウォブル、またはプリピットで記録されているリードイン開始時間情報、リードアウト開始時間情報のいずれか一方または両方を再生する時間情報再生回路と、該再生されたリードイン開始時間情報、リードアウト開始時間情報のいずれか一方または両方に基づき前記記録可能速度情報記憶回路から読み出される記録可能速度の情報を表示する表示装置と、使用者の操作に基づき記録速度を指示入力する記録速度指示手段と、記録速度を該記録速度指示手段で指示された速度に設定して前記光ディスクの記録を行う制御回路とを具備しているものである。これによれば、使用者は表示装置の表示を見て、手動操作等で記録速度を該表示された記録速度の範囲内の速度に設定して記録を行うことができ、エラーの少ない記録を行うことができる。
【００１７】
なお、時間情報再生回路は、記録可能速度の情報が記録されている領域（リードイン領域、プログラム領域、リードアウト領域等）に応じて、該当する領域から記録可能速度の情報を再生する。
【００１８】
【発明の実施の形態】
この発明をＣＤ−ＷＯ（コンパクト・ディスク−ライト・ワンス）規格（オレンジブック規格）の記録可能型光ディスク（ＣＤ−Ｒ、ＣＤ−ＲＷ等）および光ディスク記録装置に適用した実施の形態を説明する。はじめにこの発明の光ディスクについて説明する。オレンジブック規格の光ディスクには記録トラックとしてプリグルーブ（案内溝）が製造過程で形成される。このプリグルーブは２２．０５ｋＨｚで蛇行してウォブルを形成しており、このウォブルにはＡＴＩＰ（Absolute Time in Pre-groove ）と呼ばれる時間情報がＦＭ変調で記録されている。リードイン領域のＡＴＩＰには、スペシャル情報として、リードイン開始時間およびリードアウト開始時間等の情報が記録されている。オレンジブック規格では、リードイン開始時間、リードアウト開始時間は、メーカーが自由に選択してよいこととされている。例えば、リードアウト開始時間は、７４分ディスクでは７４：００：００以上で、線速度、トラックピッチ、半径位置がオレンジブック規格に適合したものであれば、例えば７４：００：００でも７４：３０：１０でもよい。
【００１９】
そこで、この選択の自由度を利用して、リードイン開始時間、リードアウト開始時間のいずれか一方または両方に記録可能速度の情報を記録する。リードアウト開始時間情報に記録可能速度を含ませて記録する場合のリードアウト開始時間情報と記録可能速度との対応関係の一例を表１に示す（×は標準速に対する倍速率を示す。）。
【００２０】
0003743178.tif 000002
いま、例えばＡ，Ｂ２種類のディスクについて×８（８倍速）で記録を行い、これを再生した時のＣ１エラーが図２に示すようであったとする。図２によれば、ディスクＡはβ（％）（再生信号品位に関するパラメータで、オレンジブックに規定されている。）に対するＣ１エラーのマージンが広く、８倍速記録を行うことができる。これに対し、ディスクＢはβ（％）に対するＣ１エラーのマージンが狭く８倍速での記録を行うことができない。したがって、表１の関係に従う場合は、ディスクＡ，Ｂに記録するリードアウト開始時間を、例えば
ディスクＡ  …  ７４：３０：０２
ディスクＢ  …  ７４：３０：００
とする。
【００２１】
また、記録可能速度の下限値（最低記録速度）の情報（下限値情報）と上限値（最高記録速度）の情報（上限値情報）を別々に記録することもできる。リードイン開始時間情報に記録可能速度の下限値情報を含ませて記録し、かつリードアウト開始時間情報に記録可能速度の上限値情報を含ませて記録する場合の、リードイン開始時間情報と記録可能速度の下限値との対応関係、リードアウト開始時間情報と記録可能速度の上限値との対応関係の一例を表２、表３にそれぞれ示す。
【００２２】
0003743178.tif 000003
表２，表３によれば、例えばリードイン開始時間が９７：３０：００、リードアウト開始時間が７４：３０：０６と記録されたディスクの記録可能速度は、下限値が×１（標準速）で上限値が×１６（１６倍速）となる。なお、表２、表３とは逆に、リードイン開始時間情報に記録可能速度の上限値情報を含ませて記録し、かつリードアウト開始時間情報に記録可能速度の下限値情報を含ませて記録することもできる。
【００２３】
また、記録可能速度の上限値および下限値の情報をリードイン開始時間情報またはリードアウト開始時間情報のいずれか一方（または両方）にまとめて記録することもできる。記録可能速度の上限値および下限値の情報をリードアウト開始時間情報にまとめて記録する場合の、リードアウト開始時間情報と記録可能速度の下限値および上限値との対応関係の一例を表４に示す。
【００２４】
0003743178.tif 000004
表４の設定では、リードアウト開始時間情報のフレームの１０の桁で、０＝上限値、１＝下限値と割り振っている。
【００２５】
なお、実際のリードイン領域のリードイン開始時間、リードアウト領域のリードアウト開始時間は、リードイン開始時間情報、リードアウト開始時間情報と一致させることができる。例えば、記録可能速度の情報がリードアウト開始時間情報として７４：３０：００から７４：３０：０９までの９フレームに割り当てられているとすると、記録可能速度の情報が７４：３０：００として記録されている場合には、実際のリードアウト領域も７４：３０：００から開始することができ、記録可能速度の情報が７４：３０：０９として記録されている場合には、実際のリードアウト領域も７４：３０：０９から開始することができる。リードイン開始情報についても同様に、例えば記録可能速度の情報がリードイン開始情報として９７：３０：００から９７：３０：０９までの１０フレームに割り当てられているとすると、記録可能速度の情報が９７：３０：００として記録されている場合には、実際のリードイン領域も９７：３０：００から開始することができ、記録可能速度の情報が９７：３０：０９として記録されている場合には、実際のリードイン領域も９７：３０：０９から開始することができる。なお、実際のリードイン領域のリードイン開始時間、リードアウト領域のリードアウト開始時間を、リードイン開始時間情報、リードアウト開始時間情報と異ならせることもできる。また、リードイン開始時間情報、リードアウト開始時間情報には、記録可能速度の情報のほか、ディスク種類およびメーカー等の情報を含ませて記録することもできる。
【００２６】
次に、この発明の光ディスク記録装置の実施の形態を図１に示す。これはリードイン開始時間情報またはリードアウト開始時間情報（またはリードイン開始時間情報およびリードアウト開始時間情報）に応じて、記録速度を自動設定するように構成したものである。この光ディスク記録装置１０は光ディスクドライブ単体で構成するほか、光ディスクドライブとコンピュータとの組合せ等で構成することもできる。光ディスク１２はこの発明による光ディスクである。光ディスク１２はスピンドルモータ１４で回転駆動され、光ヘッド１６で情報が記録されかつ記録されている情報が読み取られる。サーボ回路１８は光ヘッド１６の出力信号および制御回路２０からの指令に基づき、スピンドルモータ１４の回転制御、光ヘッド１６の送り制御、トラッキング制御、フォーカス制御を行う。
【００２７】
ＥＦＭデコーダ２１は光ヘッド１６から出力される光ディスク１２の読み取り信号をＥＦＭデコードして制御回路２０に送る。ウォブルデコーダ２２は光ヘッド１６から出力される光ディスク１２の読み取り信号から、プリグルーブのウォブルで記録されているＡＴＩＰ情報をデコードして制御回路２０に送る。ウォブルデコーダ２２は、この発明における記録可能速度情報再生回路あるいは時間情報再生回路としての機能を有する。また、光ディスク１２が、リードイン開始時間情報、リードアウト開始時間情報に、記録可能速度の情報のほか、ディスク種類およびメーカー等の情報を含ませて記録している場合には、ウォブルデコーダ２２はこれらの情報も再生する。
【００２８】
制御回路２０は例えば表１に示すようなリードアウト開始時間情報と記録可能速度との対応関係を記憶しており、リードイン領域の再生時に再生されるリードアウト開始時間情報に基づき、該リードアウト開始時間情報と記録可能速度との対応関係に適合しかつ設定可能な最高速度を判定して、記録速度を該最高速度に設定する。
【００２９】
記録データ出力装置３０はハードディスクドライブ等で構成され、記録時に前記設定された記録速度に対応する伝送レートで記録データを出力する。記録データ出力装置３０から出力される記録データは、インタフェース回路３１を介してＥＦＭエンコーダ３３でＥＦＭエンコードされ、制御回路２０、ＡＬＰＣ回路３５を介して光ヘッド１６に供給され、光ディスク１２に記録される。
【００３０】
制御回路２０による記録速度制御の一例を図３に示す。これは光ディスクドライブが４倍速と８倍速で記録を行える場合のものである。ディスクを挿入すると（Ｓ１１）、ディスクのリードイン領域が読み込まれ、ＡＴＩＰ情報が取得される（Ｓ１２）。ＡＴＩＰのリードアウト開始時間情報により８倍速対応かどうか（すなわち、記録可能速度の上限値が８倍速以上かどうか）が判定され（Ｓ１３）、８倍速対応の場合は８倍速に設定され（Ｓ１４）、８倍速対応でない場合は４倍速に設定される（Ｓ１５）。この一連の動作は自動で行われる。記録速度が設定されると、記録スタート指令を与えることにより、光ヘッド１６が所定の記録開始位置に位置決めされ、スピンドルモータ１４が設定された記録速度に相当する速度に制御され、記録データ出力装置３０から記録データが、設定された記録速度に相当する伝送レートで出力されて光ディスク１２に記録される。
【００３１】
次に、リードイン開始時間情報またはリードアウト開始時間情報（またはリードイン開始時間情報およびリードアウト開始時間情報）に応じて、記録速度を手動設定するように構成したこの発明の光ディスク記録装置の実施の形態を図４に示す。図１と共通する部分には同一の符号を用いる。この光ディスク記録装置３２は光ディスクドライブ単体で構成するほか、光ディスクドライブとコンピュータとの組合せ等で構成することもできる。光ディスク１２はこの発明による光ディスクである。光ディスク１２はスピンドルモータ１４で回転駆動され、光ヘッド１６で情報が記録されかつ記録されている情報が読み取られる。サーボ回路１８は光ヘッド１６の出力信号および制御回路２０からの指令に基づき、スピンドルモータ１４の回転制御、光ヘッド１６の送り制御、トラッキング制御、フォーカス制御を行う。
【００３２】
ＥＦＭデコーダ２１は光ヘッド１６から出力される光ディスク１２の読み取り信号をＥＦＭデコードして制御回路２０に送る。ウォブルデコーダ２２は光ヘッド１６から出力される光ディスク１２の読み取り信号から、プリグルーブのウォブルで記録されているＡＴＩＰ情報をデコードして制御回路２０に送る。ウォブルデコーダ２２は、この発明における記録可能速度情報再生回路あるいは時間情報再生回路としての機能を有する。また、光ディスク１２が、リードイン開始時間情報、リードアウト開始時間情報に、記録可能速度の情報のほか、ディスク種類およびメーカー等の情報を含ませて記録している場合には、ウォブルデコーダ２２はこれらの情報も再生する。
【００３３】
記録可能速度情報記憶回路２４は、例えば、リードアウト開始時間情報と記録可能速度の対応関係として前記表１に示す情報、あるいはリードイン開始時間と記録可能速度の下限値の対応関係およびリードアウト開始時間と記録可能速度の上限値の対応関係として前記表２および表３に示す情報、あるいはリードアウト開始時間（またはリードイン開始時間）と記録可能速度の下限値および上限値の対応関係として前記表４に示す情報を記憶している。制御回路２０は、ウォブルデコーダ２２から出力されるリードイン開始時間情報またはリードアウト開始時間情報（またはリードイン開始時間情報およびリードアウト開始時間情報）に基づき、記録可能速度情報記憶回路２４から該当する記録可能速度情報を読み出す。
【００３４】
表示装置２６は光ディスクドライブの表示パネル、インジケータ、コンピュータのディスプレイ等で構成され、読み出された記録可能速度情報を表示する。記録速度指示手段２８は光ディスクドライブのキースイッチ、コンピュータのキーボード、マウス等で構成され、使用者が表示装置２６に表示された記録可能速度情報記録速度に基づき、記録速度を指示入力するのに用いられる。
【００３５】
記録データ出力装置３０はハードディスクドライブ等で構成され、記録時に、設定された記録速度に対応する伝送レートで記録データを出力する。記録データ出力装置３０から出力される記録データは、インタフェース回路３１を介してＥＦＭエンコーダ３３でＥＦＭエンコードされ、制御回路２０、ＡＬＰＣ回路３５を介して光ヘッド１６に供給され、光ディスク１２に記録される。
【００３６】
図４の制御回路２０による記録速度制御の一例を図５に示す。ディスクを挿入すると（Ｓ２１）、ディスクのリードイン領域が読み込まれ、ＡＴＩＰ情報が取得される（Ｓ２２）。そして、該取得されたＡＴＩＰ情報のリードイン開始時間情報またはリードアウト開始時間情報（またはリードイン開始時間情報およびリードアウト開始時間情報）に基づき、記録可能速度情報記憶回路２４から該当する記録可能速度情報が読み出され（Ｓ２３）、表示装置２６に表示される（Ｓ２４）。使用者はこの表示を見て、記録速度指示手段２８により記録可能速度の範囲内で記録速度を指示入力する（Ｓ２５）。これにより記録速度が手動設定される（Ｓ２６）。記録速度が設定されると、記録スタート指令を与えることにより、光ヘッド１６が所定の記録開始位置に位置決めされ、スピンドルモータ１４が設定された記録速度に相当する速度に制御され、記録データ出力装置３０から記録データが、設定された記録速度に相当する伝送レートで出力されて光ディスク１２に記録される。
【００３７】
なお、以上説明した実施の形態では、リードイン開始時間情報、リードアウト開始時間情報のフレームの情報に記録可能速度の情報を含ませて記録したが、秒の情報あるいは分の情報に含ませて記録することもできる。
【００３８】
また、以上の実施の形態ではこの発明をオレンジブック規格の記録可能型光ディスクおよび光ディスク記録装置に適用した場合について示したが、オレンジブック規格以外の記録可能型光ディスクおよび光ディスク記録装置にも適用することができる。例えば、ＤＶＤ規格（ＤＶＤ−Ｒ、ＤＶＤ−ＲＷ等）においては、ウォブルとプリピットを併用しており、ウォブルだけでなくプリピットでも時間情報等ディスクの情報がディスク製造過程で記録される。したがって、プリピットで記録する時間情報等に記録可能速度の情報を含ませて記録することができる。記録可能速度の情報をプリピットで記録する場合は、図１、図４のウォブルデコーダ２２に代えてプリピットデコーダを配置して、プリピットで記録されている記録可能速度の情報を再生する。
【図面の簡単な説明】
【図１】  この発明の光ディスク記録装置の実施の形態を示すブロック図である。
【図２】  異なる種類の光ディスクＡ，Ｂに８倍速で記録を行い、これを再生した時のＣ１エラー特性例を示す図である。
【図３】  図１の制御回路２０による制御の一例を示すフローチャートである。
【図４】  この発明の光ディスク記録装置の他の実施の形態を示すブロック図である。
【図５】  図４の制御回路２０による制御の一例を示すフローチャートである。
【符号の説明】
１０，３２…光ディスク記録装置、１２…光ディスク、２０…制御回路、２２…ウォブルデコーダまたはプリピットデコーダ（記録可能速度情報再生回路、時間情報再生回路）、２４…記録可能速度情報記憶回路、２６…表示装置、２８…記録速度指示手段。
【図１】
0003743178.tif 000005
【図２】
0003743178.tif 000006
【図３】
0003743178.tif 000007
【図４】
0003743178.tif 000008
【図５】
0003743178.tif 000009